(57)【要約】【課題】ケーブルのプラグを接続ポートから容易に抜き出すことができる電子装置を提供すること。【解決手段】本発明に係る電子装置は、ハウジングと、前記ハウジング内に装着されるプラグ抜き出し補助部品及びプラグと、を備える。前記ハウジングの内部には、前記開口の位置に対応するコネクタが設けられ、前記プラグの底面には、前記コネクタの底部に係止される弾片を有し、前記プラグ抜き出し補助部品は、突上げ部材及び前記突上げ部材に対してスライド可能に装着される操作部材を備える。前記突上げ部材は弾性フックを有し、前記操作部材には推進ブロックが設けられる。前記操作部材が前記突上げ部材から離れるようにスライドされると、前記操作部材の推進ブロックは、前記弾性フックを上方へ移動させ、従って、前記弾性フックは、前記プラグの前記弾片を上へ突上げて該弾片を前記コネクタから離脱させる。【選択図】図４
2013069675.tif 000002
【特許請求の範囲】
【請求項１】
ハウジングと、前記ハウジング内に装着されるプラグ抜き出し補助部品及びプラグと、を備える電子装置であって、
前記ハウジングは、開口を有する側板を含み、前記ハウジングの内部には、前記開口の位置に対応するコネクタが設けられ、前記プラグの底面には、前記コネクタの底部に係止される弾片を有し、前記プラグ抜き出し補助部品は、突上げ部材及び前記突上げ部材の底面にスライド可能に装着される操作部材を備え、前記突上げ部材は、突上げ部が設けられている弾性フックを有し、前記突上げ部は、前記プラグの前記弾片に対応し且つ該突上げ部材の末端から上方へ垂直に突出しており、前記弾性フックの底面の両側には、楔形状を呈する２つのブロックが間隔をあけて設けられ、前記操作部材には、推進ブロックが設けられ、
前記操作部材が前記突上げ部材から離れるようにスライドされると、前記操作部材の前記推進ブロックは、前記ブロックを上方へ推進して、前記弾性フックを上方へ移動させ、従って、前記弾性フックの前記突上げ部は、前記プラグの前記弾片を上方へ突上げて該弾片を前記コネクタから離脱させることを特徴とする電子装置。
【請求項２】
前記突上げ部材の底部には、スライドレールが設けられ、前記操作部材は、操作部と、前記スライドレール内にスライド可能に設けられる推進部と、前記操作部及び前記推進部を一体に連接する連接部と、を備えることを特徴とする請求項１に記載の電子装置。
【請求項３】
前記突上げ部材の頂面には、前記スライドレールと互いに連通する貫通溝が設けられ、前記弾性フックは、前記貫通溝の内部に延伸していることを特徴とする請求項１に記載の電子装置。
【請求項４】
前記推進部の中央部には、前記ブロックを収納するための収容凹所が設けられ、前記推進ブロックは、前記側板から遠位に位置した前記収容凹所の一端に設けられることを特徴とする請求項１に記載の電子装置。
【請求項５】
前記スライドレールはＴ字形を呈し、前記連接部の幅は前記操作部及び前記推進部の幅より小さく、前記推進部及び前記連接部は、前記スライドレール内にスライド可能に収納され、前記操作部は、前記突上げ部材の外部へ露出することを特徴とする請求項２に記載の電子装置。
【請求項６】
前記コネクタの下方には、該コネクタに離間して配置され、且つ前記開口の外部まで延在する固定板が設けられ、前記固定板には複数の固定孔が設けられ、前記突上げ部材の底面には、複数の固定ピンが設けられ、複数の前記固定ピンを複数の前記固定孔内にそれぞれ係止することにより、前記突上げ部材を前記固定板に固定することを特徴とする請求項１に記載の電子装置。
【発明の詳細な説明】
【技術分野】
【０００１】
本発明は、プラグ抜き出し補助部品を備える電子装置に関するものである。
【背景技術】
【０００２】
従来の技術において、ケーブルのプラグを電子装置の接続ポートから抜き出す際には、先ず、前記プラグの底面に設けられた弾性フックを押圧して、該弾性フックと前記接続ポートとの係合関係を解除してから、該プラグを抜き出す。しかし、空間に制限があるため、ユーザーは、前記弾性フックを押圧することが難しく、また、前記弾性フックを幾度となく押圧すると、次第に該弾性フックの弾性力は弱くなり、前記プラグと前記接続ポートとの係合が緩む問題が度々発生する。
【発明の概要】
【発明が解決しようとする課題】
【０００３】
以上の問題点に鑑みて、本発明は、ケーブルのプラグを接続ポートから容易に抜き出すことができる電子装置を提供することを目的とする。
【課題を解決するための手段】
【０００４】
上記の目的を達成するために、本発明に係る電子装置は、ハウジングと、前記ハウジング内に装着されるプラグ抜き出し補助部品及びプラグと、を備える。前記ハウジングは、開口を有する側板を含み、前記ハウジングの内部には、前記開口の位置に対応するコネクタが設けられ、前記プラグの底面には、前記コネクタの底部に係止される弾片を有し、前記プラグ抜き出し補助部品は、突上げ部材及び前記突上げ部材の底面にスライド可能に装着される操作部材を備え、前記突上げ部材は、突上げ部が設けられている弾性フックを有し、前記突上げ部は、前記プラグの前記弾片に対応し且つ該突上げ部材の末端から上方へ垂直に突出しており、前記弾性フックの底面の両側には、楔形状を呈する２つのブロックが間隔をあけて設けられ、前記操作部材には、推進ブロックが設けられ、前記操作部材が前記突上げ部材から離れるようにスライドされると、前記操作部材の前記推進ブロックは、前記ブロックを上方へ推進して、前記弾性フックを上方へ移動させ、従って、前記弾性フックの前記突上げ部は、前記プラグの前記弾片を上方へ突上げて該弾片を前記コネクタから離脱させる。
【発明の効果】
【０００５】
従来の技術とは異なり、本発明の電子装置には、プラグ抜き出し補助部品が固定されており、該プラグ抜き出し補助部品は、互いにスライド可能に装着される突上げ部材及び操作部材を備える。前記突上げ部材は、その末端に突上げ部が設けられた弾性フックを有する。前記操作部材を前記突上げ部材に対してスライドさせることにより、前記弾性フックを上方へ移動させ、該弾性フックの前記突上げ部によって、前記プラグの弾片を上片へ突上げて、該弾片と前記導通部材との係合関係を解除する。つまり、本発明の電子装置は、操作部材をスライドすることを介して、ケーブルのプラグの弾片を電子装置のハウジングの接続ポートから離脱させるため、従来の構成及び解除操作と比較して、その構造が簡単で、且つその操作が容易である。
【図面の簡単な説明】
【０００６】
【図１】本発明の実施形態に係る電子装置とケーブルのプラグとの接続状態を示す図である。
【図２】図１の部分的な分解斜視図である。
【図３】図２に示したプラグ抜き出し補助部品の分解斜視図である。
【図４】図１に示した電子装置とケーブルのプラグとのＩＶ−ＩＶ線に沿った断面図である。
【発明を実施するための形態】
【０００７】
図１及び図２に示したように、本発明の実施形態に係る電子装置１００は、ハウジング１０と、プラグ抜き出し補助部品２０と、を備え、該プラグ抜き出し補助部品２０は、プラグ３０を容易に抜き出すために用いられる。前記プラグ３０は、本体部３２及び該本体部３２の一端から、前方斜め下に延伸して形成された弾片３４を含む。
【０００８】
前記ハウジング１０は側板１２を備え、該側板１２は開口１２１を備える。また、前記ハウジング１０の内部における前記側板１２の後方には、該開口１２１に対向して、コネクタ１４が設けられており、前記本体部３２は、該コネクタ１４内に挿入接続される。前記コネクタ１４は、横断面が「Ｔ」字形を呈する収容キャビティ１４１を有し、該収容キャビティ１４１の対向する２つの側壁の底部の末端には、１つの係止用ブロック１４３がそれぞれ突設されている。前記ハウジング１０は、更に、固定板１６を備え、該固定板１６上には、複数の固定孔１６１が設けられている。前記固定板１６は、前記コネクタ１４の下方で、該コネクタ１４と互いに離間して配置され、且つ前記開口１２１の外部まで延在する。
【０００９】
図３及び図４に示すように、前記プラグ抜き出し補助部品２０は、突上げ部材２２及び操作部材２５を備える。前記突上げ部材２２の底部には、該突上げ部材２２の長手方向に沿って、その両端を貫通する「Ｔ」字形のスライドレール２２１が設けられている。また、前記突上げ部材２２の頂部には、前記スライドレール２２１と互いに連通する略「Ｕ」字形の貫通溝２２３が設けられ、前記突上げ部材２２の一端の中央部には、前記貫通溝２２３の内部へ延伸する弾性フック２２５が設けられている。前記弾性フック２２５の末端には、上方に向かって垂直に突出する突き上げ部２２６が設けられ、前記弾性フック２２５の底面の両側には、楔形状を呈する２つのブロック２２７が間隔をあけて設けられている。各々の前記ブロック２２７は、前記弾性フック２２５の底面の中間部まで延在する斜面２２８を有する。また、前記突上げ部材２２の底面には、複数の固定ピン２２９が設けられている。
【００１０】
前記操作部材２５は、操作部２５１と、推進部２５３と、前記操作部２５１と前記推進部２５３との間に位置する連接部２５５と、を備え、且つこれらは一体に成形される。前記連接部２５５の幅は、前記操作部２５１及び前記推進部２５３の幅より小さい。前記連接部２５５から離れている前記操作部２５１の一端には、把手２５２が突設され、前記推進部２５３の中央部には、収容凹所２５６が設けられている。前記推進部２５３における前記収容凹所２５６の、前記連接部２５５から遠位に位置した一端には、前記収容凹所２５６内に向かって延伸する楔形状の推進ブロック２５７が形成されている。
【００１１】
前記プラグ抜き出し補助部品２０を組み立てる際、先ず、前記突上げ部材２２を前記操作部材２５に対して被せるようにして、前記操作部材２５の前記推進部２５３及び前記連接部２５５を前記突上げ部材２２の底部の前記スライドレール２２１内に装着する。この際、前記操作部２５１は、前記突上げ部材２２の外部へ露出しており、前記突上げ部材２２の２つの前記ブロック２２７は、前記推進部２５３の前記収容凹所２５６内に収納される。これにより、前記推進部２５３及び前記連接部２５５は、前記スライドレール２２１に沿ってスライドすることができる。次に、前記操作部材２５及び前記突上げ部材２２を、共に前記ハウジング１０の前記コネクタ１４と前記固定板１６との間に挿入し、且つ前記突上げ部材２２の複数の前記固定ピン２２９を、前記固定板１６の前記固定孔１６１内にそれぞれ係止させる。これにより、前記プラグ抜き出し補助部品２０は、前記ハウジング１０に安定して固定される。この際、前記突上げ部材２２の前記弾性フック２２５は、前記コネクタ１４の前記収容キャビティ１４１に対向し、前記弾性フック２２５の前記突上げ部２２６は、前記コネクタ１４の前方且つ下方に位置する。
【００１２】
前記プラグ３０を前記電子装置１００の接続ポート内に挿入接続する場合、前記本体部３２を、前記コネクタ１４の前記収容キャビティ１４１内に挿入して、前記弾片３４の前記本体部３２に連接された一端の両側を下方へ押圧して、該弾片３４を前記収容キャビティ１４１の２つの前記係止用ブロック１４３の間に係止させる。この際、前記弾片３４の前記一端の反対側の他端は、前記収容キャビティ１４１から突き出ており、且つ前記弾性フック２２５の前記突上げ部２２６の真上に位置する。
【００１３】
前記プラグ３０を前記電子装置１００の接続ポートから抜き出す際、ユーザーは、前記把手２５２を持った後、前記操作部２５１を手前に引っ張ることで、前記推進部２５３及び前記連接部２５５は、前記突上げ部材２２の前記スライドレール２２１に沿って、前方（つまり、ユーザーに対して手前の方向）へスライドし、前記推進部２５３の前記推進ブロック２５７は、前記弾性フック２２５の前記ブロック２２７の前記斜面２２８に当接される。この際、前記弾性フック２２５は上方へ推進される。従って、前記弾性フック２２５の前記突上げ部２２６は、前記プラグ３０の前記弾片３４を上方へ突上げ、前記弾片３４は、前記本体部３２の底面に近接するように移動し、前記収容キャビティ１４１の２つの前記係止用ブロック１４３から離脱する。これにより、ユーザーは、前記プラグ３０を容易に抜き出すことができる。
【００１４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１５】
１０                ハウジング
１２                側板
１４                コネクタ
１６                固定板
２０                プラグ抜き出し補助部品
２２                突上げ部材
２５                操作部材
３０                プラグ
３２                本体部
３４                弾片
１００              電子装置
１２１              開口
１４１              収容キャビティ
１４３              係止用ブロック
１６１              固定孔
２２１              スライドレール
２２３              貫通溝
２２５              弾性フック
２２６              突上げ部
２２７              ブロック
２２８              斜面
２２９              固定ピン
２５１              操作部
２５２              把手
２５３              推進部
２５５              連接部
２５６              収容凹所
２５７              推進ブロック
【図１】
2013069675.tif 000003
【図２】
2013069675.tif 000004
【図３】
2013069675.tif 000005
【図４】
2013069675.tif 000006